(57)【要約】 【課題】  簡単な構成で放送番組を記録する放送番組記録システムを提供すること。【解決手段】  サーバ装置５は、携帯端末装置３から所定の放送番組の記録要求を認識すると、サーバ装置５にネットワーク２を介して各種情報が送受信可能に接続する各地に設置の端末装置４であって、記録要求の放送番組を記録可能な端末装置４を選出する。選出した端末装置４で記録要求の放送番組を記録させる。ネットワーク２を介して端末装置４から記録した放送番組を取得し、再生可能に処理する。携帯端末装置３からの送出要求にしたがって、サーバ装置５は処理した放送番組を指定の送出先へ送出する。【選択図】 図１
2005209313.tif 000002
【特許請求の範囲】
【請求項１】
所定の放送番組の記録を要求する要求情報に基づいて、ネットワークを介して前記放送番組を含む各種情報を送受信可能に複数接続され前記放送番組を記録可能な端末装置で、前記要求情報に対応する前記放送番組を記録させる放送番組記録装置であって、
前記要求情報を取得する要求情報取得手段と、
前記要求情報に対応する前記放送番組を記録可能な前記端末装置を選択する端末選択手段と、
前記選択された端末装置で前記要求情報に対応する前記放送番組を記録させる記録制御手段と、
前記端末装置から前記ネットワークを介して記録された前記放送番組を取得し出力手段にて前記放送番組を出力可能に処理する放送番組処理手段と
を具備したことを特徴とする放送番組記録装置。
【請求項２】
請求項１に記載の放送番組記録装置において、
前記記録制御手段は、前記端末選択手段にて複数の端末装置が選択された場合、少なくとも２つ以上の前記選択された端末装置で前記放送番組を記録させ、
前記放送番組処理手段は、前記放送番組を記録する複数の端末装置のうち前記要求情報に基づく放送番組の全てを記録した端末装置から前記記録された放送番組を取得する
ことを特徴とする放送番組記録装置。
【請求項３】
請求項１に記載の放送番組記録装置において、
前記記録制御手段は、前記端末選択手段にて複数の端末装置が選択された場合、少なくとも２つ以上の前記選択された端末装置で前記放送番組を記録させ、
前記放送番組処理手段は、前記放送番組を記録する複数の端末装置から前記記録された放送番組の記録状態を認識し、この記録状態に基づいて前記要求情報に基づく放送番組の全てとなる状態に前記記録された放送番組を前記複数の端末装置から適宜取得し複合する
ことを特徴とする放送番組記録装置。
【請求項４】
請求項１ないし請求項３のいずれか一に記載の放送番組記録装置において、
前記記録制御手段は、前記端末選択手段にて選択された端末装置におけるそれぞれの記録可能な時間帯を認識し、前記要求情報に基づく放送番組の全てとなる状態に前記端末装置を再選択し、前記認識した時間帯で記録させ、
前記放送番組処理手段は、前記端末装置で記録した放送番組を取得して前記要求情報に基づく放送番組の全てとなる状態に取得した放送番組を複合する
ことを特徴とする放送番組記録装置
【請求項５】
請求項４に記載の放送番組記録装置において、
前記記録制御手段は、前記端末選択手段にて選択された端末装置における前記放送番組の記録スケジュールに関する記録情報に基づいて記録可能な時間帯を認識する
ことを特徴とする放送番組記録装置。
【請求項６】
請求項１ないし請求項５のいずれか一に記載の放送番組記録装置において、
前記端末装置における記録履歴に基づいて前記端末装置で記録する放送番組における記録頻度の高い種別を認識する種別認識手段を具備し、
前記端末選択手段は、前記要求情報に対応する前記放送番組の種別を認識し、この認識した種別が前記種別認識手段にて認識した記録頻度の高い種別の端末装置以外の端末装置を選択する
ことを特徴とする放送番組記録装置。
【請求項７】
請求項１ないし請求項６のいずれか一に記載の放送番組記録装置において、
前記端末装置毎の固有の情報および前記放送番組を提供する放送局のうち前記放送番組を記録可能な放送局に関する情報が１つの管理情報として複数記録する記録手段を具備し、
前記端末選択手段は、前記管理情報に基づいて前記要求情報に対応する前記放送番組を記録可能な前記端末装置を選択する
ことを特徴とする放送番組記録装置。
【請求項８】
請求項１ないし請求項７のいずれか一に記載の放送番組記録装置において、
前記放送番組処理手段は、前記放送番組を記録する前記端末装置から前記放送番組の記録が完了した旨を認識することにより、前記記録された前記放送番組を取得する
ことを特徴とする放送番組記録装置。
【請求項９】
請求項１ないし請求項８のいずれか一に記載の放送番組記録装置において、
前記放送番組処理手段は、前記端末装置から前記記録された放送番組を取得すると、前記端末装置に記録された前記放送番組を削除させる処理をする
ことを特徴とする放送番組記録装置。
【請求項１０】
請求項１ないし請求項９のいずれか一に記載の放送番組記録装置において、
前記記録制御手段は、前記要求情報に対応する前記放送番組を既に記録予約している端末装置以外の端末装置に前記放送番組を記録させる
ことを特徴とする放送番組記録装置。
【請求項１１】
請求項１ないし請求項９のいずれか一に記載の放送番組記録装置において、
前記記録制御手段は、前記要求情報に対応する前記放送番組を既に記録予約している端末装置を検索し、前記既に記録予約している端末装置がない場合に前記放送番組を前記選択された端末装置で記録させ、
前記放送番組処理手段は、前記記録制御手段にて前記要求情報に対応する前記放送番組を既に記録予約している端末装置を検出している場合、その端末装置で記録した前記放送番組を取得する
ことを特徴とする放送番組記録装置。
【請求項１２】
ネットワークを介して第１の端末装置からの所定の放送番組の記録を要求する要求情報をサーバ装置が認識すると、前記ネットワークを介して前記放送番組を含む各種情報を送受信可能に複数接続され前記放送番組を記録可能な第２の端末装置で、前記要求情報に対応する前記放送番組を記録させる放送番組記録システムであって、
前記第１の端末装置は、入力操作に応じた信号を生成する第１の端末操作手段と、この第１の端末操作手段からの所定の信号に基づいて所定の前記放送番組の記録を要求する要求情報を生成する要求情報生成手段とを備え、
前記第２の端末装置は、前記放送番組を受信する放送受信手段と、所定の前記放送番組の記録指令に関する指令情報を認識することにより前記受信した所定の放送番組を記録する端末記録手段とを備え、
前記サーバ装置は、前記第１の端末装置から前記ネットワークを介して前記要求情報を取得する要求情報取得手段と、前記要求情報に対応する前記放送番組を記録可能な前記端末装置を選択する端末選択手段と、前記選択された端末装置で前記要求情報に対応する前記放送番組を記録させる記録制御手段と、前記端末装置から前記ネットワークを介して記録された前記放送番組を取得し出力手段にて前記放送番組を出力可能に処理する放送番組処理手段とを備えた
ことを特徴とする放送番組記録システム。
【請求項１３】
所定の放送番組の記録を要求する第１の端末装置と、
前記放送番組を記録可能な複数の第２の端末装置と、
これら第１の端末装置および複数の第２の端末装置にネットワークを介して前記放送番組を含む各種情報を送受信可能に接続され、前記所定の放送番組についての記録の要求に基づいて前記第２の端末装置で前記所定の放送番組を記録させる請求項１ないし請求項１１のいずれか一に記載の放送番組記録装置と
を具備したことを特徴とする放送番組記録システム。
【請求項１４】
請求項１２または請求項１３に記載の放送番組記録システムにおいて、
前記第１の端末装置は、前記放送番組を出力する出力手段を備えた
ことを特徴とする放送番組記録システム。
【請求項１５】
請求項１２ないし請求項１４のいずれか一に記載の放送番組記録システムにおいて、
前記第２の端末装置は、第２の端末操作手段による所定の入力操作にてそれぞれ所定の前記放送番組を記録可能で、前記記録する全放送番組のうち前記第２の端末操作手段による所定の入力操作にて記録する放送番組の一覧のみをそれぞれ接続された端末表示手段で表示させる
ことを特徴とする放送番組記録システム。
【請求項１６】
請求項１２ないし請求項１５のいずれか一に記載の放送番組記録システムにおいて、
前記サーバ装置の放送番組処理手段は、前記第１の端末装置からの送出要求に基づいて前記第２の端末装置から取得して処理した前記送出要求に対応する前記放送番組を前記第１の端末装置、所定の第２の端末装置および所定の出力手段のうちの少なくともいずれか１つに送出させる
ことを特徴とする放送番組記録システム。
【請求項１７】
所定の放送番組の記録を要求する要求情報に基づいて、ネットワークを介して前記放送番組を含む各種情報を送受信可能に複数接続され前記放送番組を記録可能な端末装置で、前記要求情報に対応する前記放送番組を記録させる放送番組記録方法であって、
前記要求情報を取得するステップと、
このステップで取得した前記要求情報に対応する前記放送番組を記録可能な前記端末装置を選択するステップと、
このステップで選択された前記端末装置で前記要求情報に対応する前記放送番組を記録させるステップと、
このステップで記録された前記放送番組を前記端末装置から前記ネットワークを介して取得し出力手段にて前記放送番組を出力可能に処理するステップと
を有する放送番組記録方法。
【請求項１８】
コンピュータを請求項１ないし請求項１１のいずれか一に記載の放送番組記録装置として機能させる
ことを特徴とする放送番組の記録を実行させるプログラム。
【請求項１９】
請求項１７に記載の放送番組記録方法をコンピュータに実行させる
ことを特徴とする放送番組の記録を実行させるプログラム。
【請求項２０】
請求項１８または請求項１９に記載の放送番組の記録を実行させるプログラムがコンピュータに読取可能に記録された
ことを特徴とする放送番組の記録を実行させるプログラムを記録した記録媒体。
【発明の詳細な説明】
【技術分野】
【０００１】
本発明は、例えばテレビジョン放送番組や衛星放送番組、ラジオ放送番組などの各種放送番組を記録する放送番組記録装置及び放送番組記録システム並びに放送番組記録方法、放送番組の記録を実行させるプログラム、及びこのプログラムを記録した記録媒体に関する。
【背景技術】
【０００２】
近年、演算装置の高速化や小型軽量化により、ネットワークを利用した各種情報の送受信が盛んに利用されている。そして、このネットワークを利用して、テレビジョン放送番組を録画する方法が知られている（例えば、特許文献１，２参照）。
そして、特許文献１に記載の方法は、番組スケジュール一覧情報を録画センター端末から通信ネットワークを介して取得したユーザー端末が、利用者にて録画する放送番組が選択されると、予約録画指示情報を生成する。この生成した予約録画指示情報をユーザー端末装置が録画センサー端末に送信する。録画センター端末は、予約録画指示情報に基づいて、対応する放送局から通信ネットワークを介して対応する放送番組を録画する。録画の終了時に、ユーザーに対して録画終了の旨を通知する。利用者は、録画センター端末からストリーム配信される録画された放送番組をユーザー端末により再生させて録画予約した放送番組を閲覧する。
また、特許文献２に記載の方法は、デジタル録画方式で記録することができるデジタル録画記録装置を、コンピュータネットワークに接続されたコンピュータで管理する。利用者がコンピュータを通じてテレビ番組の録画代行を依頼すると、コンピュータは記録装置に対応するテレビ番組を録画する。コンピュータは、コンピュータネットワークを介して利用者のデジタル録画再生装置へ録画したテレビ番組をダウンロード可能な記録内容の一覧、ダウンロード履歴を表示可能に送信する。利用者がコンピュータにダウンロード要求すると、コンピュータネットワークを介して利用者のデジタル録画再生装置へ録画したテレビ番組を送信する。
【０００３】
【特許文献１】特開２００２−３４４８５９号公報（第３〜第６頁）
【特許文献２】特開２００３−１５８７３３号公報（第２〜第３頁）
【発明の開示】
【発明が解決しようとする課題】
【０００４】
ところで、上述したような利用者からの録画予約を一括で管理して録画する構成では、各地域の利用者の録画要求に対応して、各放送局から番組録画できるネットワークを構築しなければならない。さらに、録画要求が重なった際に、複数の放送番組をそれぞれ録画するための構成が必要となる。これらのように、上述したような従来の構成では、システム構成が複雑大型化するおそれがある。
【０００５】
本発明の目的は、上記したような問題点を克服することが可能な、放送番組記録装置及び放送番組記録システム並びに放送番組記録方法、放送番組の記録を実行させるプログラム、及びこのプログラムを記録した記録媒体を提供することにある。
【課題を解決するための手段】
【０００６】
本発明の第１発明は、所定の放送番組の記録を要求する要求情報に基づいて、ネットワークを介して前記放送番組を含む各種情報を送受信可能に複数接続され前記放送番組を記録可能な端末装置で、前記要求情報に対応する前記放送番組を記録させる放送番組記録装置であって、前記要求情報を取得する要求情報取得手段と、前記要求情報に対応する前記放送番組を記録可能な前記端末装置を選択する端末選択手段と、前記選択された端末装置で前記要求情報に対応する前記放送番組を記録させる記録制御手段と、前記端末装置から前記ネットワークを介して記録された前記放送番組を取得し出力手段にて前記放送番組を出力可能に処理する放送番組処理手段とを具備したことを特徴とする放送番組記録装置である。
このような本第１発明では、要求情報取得手段にて所定の放送番組の記録を要求する要求情報を取得すると、この要求情報に対応する放送番組を記録可能な端末装置を端末選択手段にて選択する。そして、記録制御手段により、選択した端末装置で要求情報に対応する放送番組を記録させる。この後、放送番組処理手段により、ネットワークを介して端末装置から記録された放送番組を取得し、出力手段にて放送番組を出力可能に処理する。
このため、記録要求の放送番組を、その放送番組が記録可能な端末装置で記録させ、記録した放送番組を吸い上げて出力可能に処理することで、例えば各地域に設置された端末装置で記録が分担され、また、各地域に設置された端末装置と送受信可能にネットワークを介して接続する簡単な構成で各地域毎の放送番組を集約可能となり、構成を容易に簡略化できる。さらに、例えば各地域毎に異なる放送番組でもその地域に設置されて記録可能な端末装置で記録させることで、その地域に利用者がいなくてもその地域の放送番組を取得して鑑賞可能となり、放送番組の利用を容易に拡大できるとともに、利用者の異なる地域への外出先でも所望の放送番組を取得可能で、利用者の利便性を向上できる。
【０００７】
そして、本第１発明では、記録制御手段は、端末選択手段にて複数の端末装置が選択された場合、少なくとも２つ以上の選択された端末装置で放送番組を記録させ、放送番組処理手段は、放送番組を記録する複数の端末装置のうち要求情報に基づく放送番組の全てを記録した端末装置から記録された放送番組を取得する構成とすることが好ましい。
このため、複数の端末装置でそれぞれ放送番組を記録させ、要求情報に基づく放送番組の全てを記録した端末装置から記録された放送番組を放送番組処理手段にて取得させるので、不意な記録不良が生じても確実に要求情報に対応する放送番組の記録ができる。
【０００８】
また、本第１発明では、記録制御手段は、端末選択手段にて複数の端末装置が選択された場合、少なくとも２つ以上の選択された端末装置で放送番組を記録させる。そして、放送番組処理手段は、放送番組を記録する複数の端末装置から記録された放送番組の記録状態を認識し、この記録状態に基づいて要求情報に基づく放送番組の全てとなる状態に記録された放送番組を複数の端末装置から適宜取得し複合する構成とすることが好ましい。
このように、複数の端末装置でそれぞれ放送番組を記録させ、その記録状態に基づいて、放送番組処理手段により要求情報に基づく放送番組の全てとなる状態に記録された放送番組を適宜取得し、それぞれをつなぎ合わせるなどの複合により要求情報に対応した放送番組を取得する。このため、不意な記録不良や記録可能な範囲のみでも記録させて複合させる処理により、確実に要求情報に対応する放送番組の記録ができる。
【０００９】
さらに、本第１発明では、記録制御手段は、端末選択手段にて選択された端末装置におけるそれぞれの記録可能な時間帯を認識し、要求情報に基づく放送番組の全てとなる状態に端末装置を再選択し、認識した時間帯で記録させ、放送番組処理手段は、端末装置で記録した放送番組を取得して要求情報に基づく放送番組の全てとなる状態に取得した放送番組を複合する構成とすることが好ましい。
このように、選択された端末装置におけるそれぞれの記録可能な時間帯を認識し、要求情報に基づく放送番組の全てとなる状態に認識した時間帯でそれぞれ端末装置にて記録させ、要求情報に基づく放送番組の全てとなる状態に複合させる。このため、放送番組の全てを記録可能な端末装置が無くても、記録可能な時間帯で適宜記録させて後でつなぎ合わせるなどの複合させる処理により、確実に要求情報に対応する放送番組の記録ができる。
【００１０】
そして、記録制御手段は、端末選択手段にて選択された端末装置における放送番組の記録スケジュールに関する記録情報に基づいて記録可能な時間帯を認識する構成とすることが好ましい。
このことにより、各端末装置における放送番組の記録スケジュールに関する記録情報に基づいて記録可能な時間帯を認識することで、容易に要求情報に基づく放送番組の全てとなる状態に記録させて複合させる処理が容易となり、構成の簡略化や処理の高速化などが容易に得られる。
【００１１】
さらに、本第１発明では、端末装置における記録履歴に基づいて端末装置で記録する放送番組における記録頻度の高い種別を認識する種別認識手段を具備し、端末選択手段は、要求情報に対応する放送番組の種別を認識し、この認識した種別が種別認識手段にて認識した記録頻度の高い種別の端末装置以外の端末装置を選択する構成とすることが好ましい。
このように、種別認識手段にて端末装置における記録履歴に基づいてその端末装置で記録する放送番組の記録頻度の高い種別を認識し、端末選択手段は、要求情報に対応する放送番組の種別を認識して、この認識した種別が記録頻度の高い種別の端末装置以外の端末装置を選択させる。このため、記録頻度の高い種別の端末装置以外であれば、その種別が端末装置で記録される可能性が低く、その端末装置における記録要求の放送番組の記録可能性が高まり、確実に記録要求の放送番組を記録できる。
【００１２】
また、本第１発明では、端末装置毎の固有の情報および放送番組を提供する放送局のうち放送番組を記録可能な放送局に関する情報が１つの管理情報として複数記録する記録手段を具備し、端末選択手段は、管理情報に基づいて要求情報に対応する放送番組を記録可能な端末装置を選択する構成とすることが好ましい。
このように、端末装置毎の固有情報と放送番組を提供する放送局のうち放送番組を記録可能な放送局に関する情報を１つの管理情報として記録手段に複数記録させ、端末選択手段により管理情報に基づいて要求情報に対応する放送番組を記録可能な端末装置を選択させる。このため、簡単なデータ構造で要求情報に対応する放送番組を記録可能な端末装置を容易に選出でき、構成の簡略化や処理の高速化などが容易に得られる。
【００１３】
さらに、本第１発明では、放送番組処理手段は、放送番組を記録する端末装置から放送番組の記録が完了した旨を認識することにより、記録された放送番組を取得する構成とすることが好ましい。
このように、例えば放送番組処理手段からの確認や端末装置からの信号などにて放送番組を記録する端末装置から放送番組の記録が完了した旨を認識すると、放送番組処理手段にて放送番組を取得させる。このため、適切に記録が完了した端末装置を容易に認識でき、その端末装置のみから放送番組を取得すればよく、要求情報に対応する放送番組の適切な記録が容易にできる。
【００１４】
そして、本第１発明では、放送番組処理手段は、端末装置から記録された放送番組を取得すると、端末装置に記録された放送番組を削除させる処理をする構成とすることが好ましい。
このように、放送番組処理手段が端末装置から放送番組を取得した後は、直ちにあるいは所定時間経過後に端末装置から削除させれば端末装置の記録領域が確保され、新たな放送番組の記録が可能となり、利便性を向上できるとともに、放送番組の複製を防止でき、放送番組を適切に保護できる。
【００１５】
さらに、本第１発明では、記録制御手段は、要求情報に対応する放送番組を既に記録予約している端末装置以外の端末装置に放送番組を記録させる構成とすることが好ましい。
このように、既に同一の放送番組の記録予約をしている端末装置以外の端末装置で放送番組を記録させることにより、既に予約された放送番組が既に予約した利用者以外に利用されることが防止され、放送番組を適切に保護できる。
【００１６】
また、本第１発明では、記録制御手段は、要求情報に対応する放送番組を既に記録予約している端末装置を検索し、既に記録予約している端末装置がない場合に放送番組を選択された端末装置で記録させ、放送番組処理手段は、記録制御手段にて要求情報に対応する放送番組を既に記録予約している端末装置を検出している場合、その端末装置で記録した放送番組を取得する構成とすることが好ましい。
このように、要求情報に対応する放送番組が既に記録予約している端末装置がない場合に端末装置で記録させ、既に記録予約している端末装置がある場合にはその記録した放送番組を取得することで、同一の放送番組を重複して記録する処理が防止され、効率的な放送番組の記録ができる。
【００１７】
本発明の第２発明は、ネットワークを介して第１の端末装置からの所定の放送番組の記録を要求する要求情報をサーバ装置が認識すると、前記ネットワークを介して前記放送番組を含む各種情報を送受信可能に複数接続され前記放送番組を記録可能な第２の端末装置で、前記要求情報に対応する前記放送番組を記録させる放送番組記録システムであって、前記第１の端末装置は、入力操作に応じた信号を生成する第１の端末操作手段と、この第１の端末操作手段からの所定の信号に基づいて所定の前記放送番組の記録を要求する要求情報を生成する要求情報生成手段とを備え、前記第２の端末装置は、前記放送番組を受信する放送受信手段と、所定の前記放送番組の記録指令に関する指令情報を認識することにより前記受信した所定の放送番組を記録する端末記録手段とを備え、前記サーバ装置は、前記第１の端末装置から前記ネットワークを介して前記要求情報を取得する要求情報取得手段と、前記要求情報に対応する前記放送番組を記録可能な前記端末装置を選択する端末選択手段と、前記選択された端末装置で前記要求情報に対応する前記放送番組を記録させる記録制御手段と、前記端末装置から前記ネットワークを介して記録された前記放送番組を取得し出力手段にて前記放送番組を出力可能に処理する放送番組処理手段とを備えたことを特徴とする放送番組記録システムである。
このような第２発明では、サーバ装置が第１の端末装置から所定の放送番組の記録を要求する要求情報を取得すると、この要求情報に対応する放送番組を記録可能な第２の端末装置を選択し、要求情報に対応する放送番組を記録させる。この後、ネットワークを介して第２の端末装置から記録された放送番組を取得し、出力手段にて放送番組を出力可能に処理する。
このため、記録要求の放送番組を、その放送番組が記録可能な端末装置で記録させ、記録した放送番組を吸い上げて出力可能に処理する構成が容易に得られ、例えば各地域に設置された端末装置で記録が分担され、また、各地域に設置された端末装置と送受信可能にネットワークを介して接続する簡単な構成で各地域毎の放送番組を集約可能となり、構成を容易に簡略化できる。さらに、例えば各地域毎に異なる放送番組でもその地域に設置されて記録可能な端末装置で記録させることで、その地域に利用者がいなくてもその地域の放送番組を取得して鑑賞できる構成が容易に得られ、放送番組の利用を容易に拡大できるとともに、利用者の異なる地域への外出先でも所望の放送番組を取得可能で、利用者の利便性を向上できる。
【００１８】
本発明の第３発明は、所定の放送番組の記録を要求する第１の端末装置と、前記放送番組を記録可能な複数の第２の端末装置と、これら第１の端末装置および複数の第２の端末装置にネットワークを介して前記放送番組を含む各種情報を送受信可能に接続され、前記所定の放送番組についての記録の要求に基づいて前記第２の端末装置で前記所定の放送番組を記録させる請求項１ないし請求項１１のいずれか一に記載の放送番組記録装置とを具備したことを特徴とする放送番組記録システムである。
このような第３発明では、請求項１ないし請求項１１のいずれか一に記載の放送番組記録装置をサーバ装置とし、このサーバ装置により第２の端末装置で記録させるので、構成の簡略化や放送番組の利用の拡大および利用者の利便性の向上が容易にできる放送番組を記録させる構成が容易に得られる。
【００１９】
そして、前記本発明のシステムでは、第１の端末装置は、放送番組を出力する出力手段を備えた構成とすることが好ましい。
このため、放送番組処理手段にて処理した放送番組を記録要求する第１の端末装置で出力させることができ、その放送番組が配信されない地域においても利用者は所望の放送番組を鑑賞でき、利用者の利便性を向上できる。
【００２０】
また、前記本発明のシステムでは、第２の端末装置は、第２の端末操作手段による所定の入力操作にてそれぞれ所定の放送番組を記録可能で、記録する全放送番組のうち第２の端末操作手段による所定の入力操作にて記録する放送番組の一覧のみをそれぞれ接続された端末表示手段で表示させる構成とすることが好ましい。
このように、第２の端末操作手段による所定の入力操作にてそれぞれ所定の放送番組を独立して記録可能な第２の端末装置でも、第２の端末装置手段による所定の入力操作にて記録する放送番組の一覧のみ確認でき、サーバ装置にて記録される放送番組については認識できない。このため、第２の端末装置の利用者はサーバ装置による放送番組の記録に第２の端末装置が利用されていることは分からず、そのことによる不快感が生じることを防止できる。
【００２１】
さらに、前記本発明のシステムでは、サーバ装置の放送番組処理手段は、第１の端末装置からの送出要求に基づいて第２の端末装置から取得して処理した送出要求に対応する放送番組を第１の端末装置、所定の第２の端末装置および所定の出力手段のうちの少なくともいずれか１つに送出させる。
このように、第１の端末装置からの送出要求に基づいて、第１の端末装置や例えば利用者が所有するなどの所定の第２の端末装置、あるいは所定の出力手段のうちの少なくともいずれか１つに送出させることで、記録要求する第１の端末装置以外でも記録した放送番組を鑑賞可能となり、利用者の利便性を向上できる。
【００２２】
本発明の第４発明は、所定の放送番組の記録を要求する要求情報に基づいて、ネットワークを介して前記放送番組を含む各種情報を送受信可能に複数接続され前記放送番組を記録可能な端末装置で、前記要求情報に対応する前記放送番組を記録させる放送番組記録方法であって、前記要求情報を取得するステップと、このステップで取得した前記要求情報に対応する前記放送番組を記録可能な前記端末装置を選択するステップと、このステップで選択された前記端末装置で前記要求情報に対応する前記放送番組を記録させるステップと、このステップで記録された前記放送番組を前記端末装置から前記ネットワークを介して取得し出力手段にて前記放送番組を出力可能に処理するステップとを有する放送番組記録方法である。
このような本第４発明では、前述の第１発明と同様、所定の放送番組の記録を要求する要求情報に対応する放送番組を記録可能な端末装置を選択し、要求情報に対応する放送番組を記録させる。この後、ネットワークを介して端末装置から記録された放送番組を取得し、出力手段にて放送番組を出力可能に処理する。このため、例えば各地域に設置された端末装置で記録が分担され、また、各地域に設置された端末装置と送受信可能にネットワークを介して接続する簡単な構成で各地域毎の放送番組を集約可能となり、構成を容易に簡略化できる。さらに、所定の地域に利用者がいなくてもその地域の放送番組を取得して鑑賞可能となり、放送番組の利用を容易に拡大できるとともに、利用者の異なる地域への外出先でも所望の放送番組を取得可能で、利用者の利便性を向上できる。
【００２３】
本発明の第５発明は、コンピュータを請求項１ないし請求項１１のいずれか一に記載の放送番組記録装置として機能させることを特徴とする放送番組の記録を実行させるプログラムである。
【００２４】
本発明の第６発明は、請求項１７に記載の放送番組記録方法をコンピュータに実行させることを特徴とする放送番組の記録を実行させるプログラムである。
【００２５】
これらのような第５発明または第６発明では、コンピュータを請求項１ないし請求項１１のいずれか一に記載の放送番組記録装置として機能させたり、請求項１７に記載の放送番組記録方法を実行させたりするので、前述したように、放送番組を記録する構成を容易に簡略化でき、放送番組の利用を容易に拡大できるとともに、利用者の利便性を向上できる。また、汎用のコンピュータを利用した実施も容易に得られ、容易に利用の拡大が得られる。
【００２６】
本発明の第７発明は、請求項１８または請求項１９に記載の放送番組の記録を実行させるプログラムがコンピュータに読取可能に記録されたことを特徴とする放送番組の記録を実行させるプログラムを記録した記録媒体である。
このような本第７発明では、請求項１８または請求項１９に記載の放送番組の記録を実行させるプログラムをコンピュータで読取可能に記録しているので、前述したように、コンピュータを請求項１ないし請求項１１のいずれか一に記載の放送番組記録装置として機能させたり、請求項１７に記載の放送番組記録方法を実行させたりすることが容易となり、放送番組を記録する構成を容易に簡略化でき、放送番組の利用を容易に拡大できるとともに、利用者の利便性を向上できる。さらには、プログラムの取扱が容易で、利用の拡大が容易に得られる。
【発明を実施するための最良の形態】
【００２７】
以下、本発明に係る一実施形態を図面に基づき説明する。
図１には、本実施形態に係る放送番組記録システムの概略構成が示されている。図２には、放送番組記録システムを構成する携帯端末装置の概略構成が示されている。図３には、放送番組記録システムを構成する端末装置の概略構成が示されている。図４には、放送番組記録システムを構成するサーバ装置の概略構成が示されている。図５には、サーバ装置の記録スケジュールＤＢにおけるテーブル構造の概略構成が示されている。図６には、サーバ装置の記録スケジュール管理手段におけるタイムスケジュールの作成状況の概念が示されている。
放送番組記録システム１は、ネットワーク２と、第２の端末操作手段としても機能する第１の端末装置である携帯端末装置３と、第２の端末装置である端末装置４と、放送番組記録装置としてのサーバ装置とを備え、利用者の要求に対応して所定の放送番組を適宜記録するシステムである。ここで、放送番組としては、例えばテレビジョン放送番組や衛星放送番組、ラジオ放送番組などの各種放送番組が対象となる。
【００２８】
ネットワーク２は、携帯端末装置３および端末装置４とサーバ装置５とを各種情報を送受信可能に接続するもので、例えばインターネットあるいはイントラネットなどのネットワークや電話回線網などとして機能する。
また、ネットワーク２は、携帯端末装置３と端末装置４とを各種情報を送受信可能に接続するもので、例えば各種ネットワークや電話回線網などの他に、赤外線などの光、電波、音波、電磁波などの無線媒体としても機能する。
【００２９】
携帯端末装置３は、本放送番組記録システム１を利用して放送番組を記録させる要求をするとともに、放送番組を出力させて鑑賞可能となっている。この携帯端末装置３は、例えば携帯電話や携帯用ゲーム機、携帯用パーソナルコンピュータなどが利用できるが、携帯可能な機器のみならず、固定の機器をも対象とすることができる。
そして、携帯端末装置３は、図２に示すように、携帯端末操作手段３１と、出力手段としての携帯端末発音手段３２と、出力手段としての携帯端末表示手段３３と、携帯端末通信手段３４と、携帯端末記憶手段３５と、携帯端末演算手段３６とを備えている。
【００３０】
携帯端末操作手段３１は、携帯端末装置３の図示しない筐体外面に臨んで配設され、利用者にて操作可能な図示しない例えばボタンやつまみなどを備えている。この携帯端末操作手段３１は、携帯端末装置３の各種動作、例えば放送番組を記録させるための要求や記録された放送番組の送出を要求する動作、放送番組を携帯端末発音手段３２や携帯端末表示手段３３で出力すなわち再生させる動作、再生状態を調整する動作などを携帯端末演算手段３６に設定させる。
そして、携帯端末操作手段３１は、ボタンやつまみなどの操作に対応して所定の信号を携帯端末演算手段３６へ出力する。
【００３１】
携帯端末発音手段３２は、図示しないスピーカを有している。この携帯端末発音手段３２は、携帯端末演算手段３６から出力される音楽データや音声データなどの音データを取得し、適宜増幅処理などをしてスピーカから発音により音データを再生させる。
【００３２】
携帯端末表示手段３３は、図示しない表示パネルを有している。この携帯端末表示手段３３は、携帯端末演算手段３６から出力される画像データや映像データなどの像データを取得し、表示パネルで表示により像データを再生させる。
【００３３】
携帯端末通信手段３４は、図示しないネットワークインターフェースを備えている。この携帯端末通信手段３４は、ネットワークインターフェースを利用し、各種情報を送受信可能に処理し、ネットワーク２を介して各種情報を端末装置４やサーバ装置５と送受信する。
また、携帯端末通信手段３４は、ネットワーク２を介してサーバ装置５から放送番組を受信する。
【００３４】
携帯端末記憶手段３５は、携帯端末演算手段３６から出力される放送番組を含む各種情報を取得し、適宜読み出し可能に記憶する。この携帯端末記憶手段３５には、携帯端末固有情報ＤＢ（データベース：Data Base）３５１と、携帯端末放送番組ＤＢ３５２となどが設けられている。
携帯端末固有情報ＤＢ３５１は、携帯端末装置３を特定する固有の携帯端末固有情報を読み出し可能に記憶する。携帯端末固有情報としては、例えば携帯端末装置３の機番や本放送番組記録システム１を利用するためのＩＤ（identification）ナンバ、パスワード、この携帯端末装置３へサーバ装置５などから情報を送出するためのアドレス番号などが利用できる。なお、携帯端末固有情報には、本携帯端末装置３の利用者に関する個人情報、例えば氏名や住所、本システム１の利用に対する課金を支払うための金融機関の番号などをも１つのレコードとして関連付けられていてもよい。
携帯端末放送番組ＤＢ３５２は、放送番組を読み出し可能に記憶する。
なお、携帯端末記憶手段３５は、携帯端末固有情報や放送番組を記憶するのみならず、例えばメモリなどのように、各種処理に際して各種情報をも読み出し可能に記憶する。
【００３５】
携帯端末演算手段３６は、サーバ装置５や端末装置４との各種情報の送受信、あるいは携帯端末操作手段３１からの信号に基づいて、放送番組とともに各種情報を適宜処理する。
この携帯端末演算手段３６は、各種プログラムとして、要求情報生成手段３６１と、放送番組取得手段３６２と、携帯端末発音制御手段３６３と、携帯端末表示制御手段３６４とを備えている。
【００３６】
要求情報生成手段３６１は、携帯端末操作手段３１からの所定の信号に基づいて、要求情報を生成する。携帯端末操作手段３１からの所定の信号は、利用者が所定の放送番組の記録を要求する旨の操作に対応する信号である。
そして、要求情報は、記録予約する旨の指令情報とともに、放送番組を配信する放送局を特定する放送局情報、その放送番組を特定する番組情報、記録の開始時間、記録の終了時間などの記録のための情報が１つのレコードとして構成されたデータ構造となっている。さらに、要求情報には、携帯端末固有情報ＤＢ３５１に記憶された固有情報が一体的に関連付けられたデータ構造となっている。
【００３７】
放送番組取得手段３６２は、携帯端末通信手段３４にてネットワークを介してサーバ装置５から受信した放送番組を取得する。そして、放送番組取得手段３６２は、放送番組が例えば１つのファイルデータとして受信した場合には、携帯端末放送番組ＤＢ３５２へ適宜出力して記憶させる。
また、放送番組取得手段３６２は、放送番組が例えばストリームデータとして受信した場合には、順次取得して携帯端末発音制御手段３６３や携帯端末表示制御手段３６４へ出力する。
なお、このストリームデータとして取得する場合には、携帯端末記憶手段３５の記憶領域をバッファ領域として利用するとよい。
【００３８】
携帯端末発音制御手段３６３は、携帯端末発音手段３２における発音状態を制御する。
具体的には、携帯端末発音制御手段３６３は、携帯端末発音手段３２を制御し、放送番組や操作確認音、警告音などの各種音データを適宜処理して携帯端末発音手段３２へ出力させ、スピーカから発音させる。
【００３９】
携帯端末表示制御手段３６４は、携帯端末表示手段３３における表示状態を制御する。
具体的には、携帯端末表示制御手段３６４は、携帯端末表示手段３３を制御し、放送番組や番組一覧表、メニュー画面などの各種像データを適宜処理して携帯端末表示手段３３へ出力させ、表示パネルで画面表示させる。
【００４０】
端末装置４は、例えば各家庭や事業所などにそれぞれ設置され、本放送番組記録システム１における放送番組の記録をするとともに、携帯端末装置３からの直接の要求に基づいて所定の放送番組を記録および出力のための処理をする。この端末装置４は、固定の機器のみならず、携帯端末装置３と同様の携帯可能な機器をも対象とすることができる。そして、端末装置４には、記録する放送番組を出力するための出力手段としての端末発音手段６や端末表示手段７が接続可能となっている。
ここで、端末発音手段６は、例えば図示しないスピーカを有している。そして、端末発音手段６は、端末装置４から出力される音楽データや音声データなどの音データを取得し、適宜増幅処理などをしてスピーカから発音により音データを再生させる。
また、端末表示手段７は、図示しない表示パネルを有している。この端末表示手段７は、端末装置４から出力される画像データや映像データなどの像データを取得し、表示パネルで表示により像データを再生させる。
なお、端末装置４は、端末発音手段６および端末表示手段７を一体的に備えた構成などとしてもよい。また、端末発音手段６および端末表示手段７が一体のテレビジョンなどとしてよい。そして、端末装置４は、図３に示すように、端末操作手段４１と、端末通信手段４２と、音データポート４３と、像データポート４４と、端末記憶手段４５と、端末演算手段４６とを備えている。
【００４１】
端末操作手段４１は、携帯端末装置３の携帯端末操作手段３１と同様に、図示しない筐体外面に臨んで配設され、利用者にて操作可能な図示しない例えばボタンやつまみなどを備えている。この端末操作手段４１は、端末装置４の各種動作、例えば放送番組を記録する動作、出力すなわち再生する動作、再生状態を調整する動作、放送番組を編集する動作などを端末演算手段４６に設定させる。
そして、端末操作手段４１は、ボタンやつまみなどの操作に対応して所定の信号を端末演算手段４６へ出力する。
【００４２】
端末通信手段４２は、携帯端末通信手段３４と同様に、図示しないネットワークインターフェースを備えている。この端末通信手段４２は、ネットワークインターフェースを利用し、各種情報を送受信可能に処理し、ネットワーク２を介して各種情報を携帯端末装置３やサーバ装置５と送受信する。
また、端末通信手段４２は、ネットワーク２を介してサーバ装置５や携帯端末装置３へ記録した放送番組を送信する。
【００４３】
音データポート４３は、例えば入出力端子などで、端末発音手段６が着脱可能に接続される構成となっている。そして、音データポート４３は、端末発音手段６と端末演算手段４６との間で音データを含む各種情報を送受信させる。
【００４４】
像データポート４４は、例えば入出力端子などで、端末表示手段７が着脱可能に接続される構成となっている。そして、像データポート４４は、端末表示手段７と端末演算手段４６との間で像データを含む各種情報を送受信させる。
【００４５】
端末記憶手段４５は、端末演算手段４６から出力される放送番組を含む各種情報を取得し、適宜読み出し可能に記憶する。この端末記憶手段４５には、端末固有情報ＤＢ４５１と、端末放送番組ＤＢ４５２と、端末記録スケジュールＤＢ４５３となどが設けられている。
端末固有情報ＤＢ４５１は、端末装置４を特定する固有の端末固有情報を読み出し可能に記憶する。端末固有情報としては、携帯端末固有情報と同様に、例えば端末装置４の機番や本放送番組記録システム１を利用するためのＩＤナンバ、パスワード、この端末装置４へサーバ装置５などから情報を送出するためのアドレス番号などが利用できる。なお、端末固有情報には、本端末装置４の利用者に関する個人情報、例えば氏名や住所、本システム１の利用に対する課金を支払うための金融機関の番号などをも１つのレコードとして関連付けられていてもよい。
端末放送番組ＤＢ４５２は、携帯端末放送番組ＤＢ３５２と同様に、放送番組を読み出し可能に記憶する。
端末記録スケジュールＤＢ４５３は、本端末装置４で放送番組を記録する記録スケジュールに関する端末スケジュール情報を記憶する。この端末記録スケジュールＤＢ４５３は、例えば記録予約の放送番組の放送局を特定する放送局情報、その放送番組を特定する番組情報、記録の開始時間、記録の終了時間などが１つのレコードとして構成された記録スケジュールが複数記録されるテーブル構造となっている。なお、記録スケジュールのうち、サーバ装置５からの指令により放送番組を記録する記録スケジュールには、例えばフラグ情報が一体的に関連付けられて記憶される。
なお、端末記憶手段４５は、端末固有情報や放送番組、端末スケジュール情報を記憶するのみならず、例えばメモリなどのように、各種処理に際して各種情報をも読み出し可能に記憶する。
【００４６】
端末演算手段４６は、サーバ装置５や携帯端末装置３との各種情報の送受信、あるいは端末操作手段４１からの信号に基づいて、放送番組を受信して記憶、再生のための処理、編集などの放送番組を処理する他、各種情報を処理する。
この端末演算手段４６は、各種プログラムとして、放送受信手段４６１と、指令情報認識手段４６２と、端末発音制御手段４６３と、端末表示制御手段４６４と、端末記録スケジュール管理手段４６５とを備えている。
【００４７】
放送受信手段４６１は、端末演算手段４６が設置された地域における各種放送局から放送番組を受信する。具体的には、放送局から出力される放送電波などを受信する図示しないチューナや、このチューナにて受信した放送電波を適宜符号化処理する図示しないエンコーダなどを備えている。
そして、放送受信手段４６１は、受信して適宜処理した放送番組を端末記憶手段４５へ出力して適宜記憶させたり、端末発音制御手段４６３や端末表示制御手段４６４へ適宜出力したりする。
【００４８】
指令情報認識手段４６２は、端末通信手段４２にてネットワーク２を介して取得したサーバ装置５や携帯端末装置３からの情報、あるいは端末操作手段４１からの信号のうち、所定の放送番組の記録指令に関する指令情報を認識して取得する。すなわち、指令情報認識手段４６２は、入力される要求情報の指令情報を認識し、要求情報の所定の放送番組を記録するための情報を取得する。
そして、指令情報認識手段は、端末記録スケジュール管理手段４６５からの信号に基づいて、要求情報に応じて放送受信手段４６１を制御し、所定の放送番組を受信させる処理をする。
【００４９】
端末発音制御手段４６３は、端末発音手段６における発音状態を制御する。
具体的には、端末発音制御手段４６３は、端末発音手段６を適宜制御し、放送番組や操作確認音、警告音などの各種音データを適宜処理して音データポート４３を介して端末発音手段６へ出力させ、適宜発音させる。
【００５０】
端末表示制御手段４６４は、端末表示手段７における表示状態を制御する。
具体的には、端末表示制御手段４６４は、端末表示手段７を適宜制御し、放送番組や番組一覧表、記録予約一覧表、メニュー画面などの各種像データを適宜処理して像データポート４４を介して端末表示手段７へ出力させ、適宜画面表示させる。
なお、端末表示制御手段４６４は、端末スケジュール情報を記録予約一覧表として画面表示する際、フラグ情報を有する記録スケジュールは表示させない制御をする。
【００５１】
端末記録スケジュール管理手段４６５は、端末装置４で放送番組を記録する記録スケジュールを生成、管理する。記録スケジュールの生成は、サーバ装置５や携帯端末装置３から送信されネットワーク２を介して取得した要求情報、あるいは端末操作手段４１からの放送番組の記録要求に関する要求信号に基づいて生成される。そして、端末記録スケジュール管理手段４６５は、生成した記録スケジュールを端末記録スケジュールＤＢ４５３へ出力して記憶させる。
また、端末記録スケジュール管理手段４６５は、図示しない計時手段にて計時する時刻と端末スケジュール情報とに基づいて、現在時刻が記録の開始時間となると指令情報認識手段４６２に所定の信号を出力し、その記録開始時間の放送番組を放送受信手段４６１にて受信させて記録させる処理をする。さらに、端末記録スケジュール管理手段４６５は、現在時刻が記録の終了時間となると指令情報認識手段４６２に所定の信号を出力し、その記録終了時間の放送番組の放送受信手段４６１による受信・記録を終了させる処理をする。
なお、この記録の終了について、フラグ情報を有する記録スケジュールの場合には端末通信手段４２にて終了した旨をサーバ装置５へ送信し、フラグ情報を有しない記録スケジュールの場合には端末発音手段６や端末表示手段７で発音や表示により報知させるようにしてもよい。また、電源供給の停止や故障、受信障害、予定にない放送番組の記録処理などにより、フラグ情報を有する記録スケジュールに基づく記録が不良、中断などした場合、その旨をサーバ装置５へ送信してもよい。このことにより、サーバ装置５は、記録指令した端末装置４がまだ記録が完了していないのか、あるいは記録状態が不良あるいは中断しているのかを容易に認識できる。
そして、端末記録スケジュール管理手段４６５は、記録が終了した場合、端末スケジュール情報から記録が終了した記録スケジュールを削除する処理をする。
【００５２】
サーバ装置５は、携帯端末装置３からの記録要求に基づいて、端末装置４を適宜制御し、要求のあった放送番組を記録させ、要求の配信先に再生可能に配信する処理をする。そして、サーバ装置５は、図４に示すように、通信手段５１と、記憶手段５２と、演算手段５３とを備えている。
なお、サーバ装置５には、このサーバ装置５の動作を設定するための操作手段や、動作内容や設定内容などを発音により報知する発音手段あるいは表示により報知する表示手段などが接続可能となっている。
【００５３】
通信手段５１は、携帯端末通信手段３４や端末通信手段４２と同様に、図示しないネットワークインターフェースを備えている。この通信手段５１は、ネットワークインターフェースを利用し、放送番組を含む各種情報を送受信可能に処理し、ネットワーク２を介して各種情報を携帯端末装置３や端末装置４と送受信する。
【００５４】
記憶手段５２は、演算手段５３から出力される放送番組を含む各種情報を取得し、適宜読み出し可能に記憶する。この記憶手段５２には、管理情報ＤＢ５２１と、記録スケジュールＤＢ５２２と、放送番組ＤＢ５２３と、などが設けられている。
管理情報ＤＢ５２１は、本システム１を利用する携帯端末装置３や端末装置４に関する情報を読み出し可能に記憶する。この管理情報ＤＢ５２１は、携帯情報ＤＢ５２１Ａと、端末情報ＤＢ５２１Ｂとを有している。携帯情報ＤＢ５２１Ａは、携帯端末装置３に関する携帯端末固有情報を複数記憶するテーブル構造となっている。端末情報ＤＢ５２１Ｂは、端末装置４に関する端末固有情報を複数記憶するテーブル構造となっている。
記録スケジュールＤＢ５２２は、携帯端末装置３から要求のあった放送番組を記録する記録スケジュールに関するスケジュール情報を記憶する。この記録スケジュールＤＢ５２２は、例えば図５に示すように、各端末装置４の端末固有情報に各端末装置４の端末スケジュール情報が関連付けられて１つのレコードとして複数記憶するテーブル構造に構成されている。このスケジュール情報は、例えば携帯端末装置３からの要求を認識する毎、あるいは所定時間間隔毎に端末装置４から取得する端末スケジュール情報に基づいて更新される。
放送番組ＤＢ５２３は、端末装置４で記憶されてネットワーク２を介して取得した放送番組を読み出し可能に記憶する。
なお、記憶手段５２は、管理情報や放送番組、スケジュール情報を記憶するのみならず、例えばメモリなどのように、各種処理に際して各種情報をも読み出し可能に記憶する。
【００５５】
演算手段５３は、携帯端末装置３や端末装置４からの各種情報に基づいて、所定の端末装置４に要求のあった放送番組を記憶させ、ネットワーク２を介して適宜取得し、携帯端末装置３や端末発音手段６あるいは端末表示手段７などで再生可能に処理する。さらに、演算手段５３は、取得した放送番組を適宜配信する処理をする。
この演算手段５３は、各種プログラムとして、要求情報認識手段５３１と、端末選択手段５３２と、記録スケジュール管理手段５３３と、記録制御手段５３４と、放送番組転送処理手段５３５と、放送番組処理手段５３６とを備えている。
【００５６】
要求情報認識手段５３１は、通信手段５１にてネットワーク２を介して携帯端末装置３から受信した情報のうち、要求情報を認識して取得する。
そして、要求情報認識手段５３１は、要求情報の指令情報に基づいて所定の放送番組の記録要求があった旨を端末選択手段５３２や記録スケジュール管理手段５３３へ出力する。
【００５７】
端末選択手段５３２は、要求情報認識手段５３１からの記録要求があった旨の信号を認識すると、要求情報認識手段５３１で取得した要求情報と記録スケジュール管理手段５３３からスケジュール情報とを取得する。そして、端末選択手段５３２は、要求情報およびスケジュール情報に基づいて、記録要求のあった放送番組を記録可能な端末装置４を検索する。
具体的には、要求情報の放送局情報と同一の記録スケジュールを検索し、その記録スケジュールの端末固有情報、例えばＩＤナンバを取得する。さらに、端末選択手段５３２は、取得した端末固有情報の記録スケジュールにおける端末記録スケジュールを読み取り、要求情報の番組情報と同一の番組情報を記録予約していない記録スケジュールを絞り込む。また、端末選択手段５３２は、絞り込んだ記録スケジュールと要求情報の記録開始時間および記録終了時間とに基づいて、記録要求のあった放送番組を記録する時間帯と、既に端末装置４で記録予約されている時間帯とを比較し、時間帯が重なっていない記録スケジュールを選出し、その記録スケジュールのＩＤナンバを取得し、記録要求のあった放送番組を記録可能な端末装置４を選出する。この選出する端末装置４は、１台に限らず複数台でよい。
ここで、時間帯が重なっていない記録スケジュールがない場合、例えば図６に示すように、時間帯の一部を記録可能な端末装置４を選出する。この場合、それぞれの端末装置４の端末固有情報であるＩＤナンバと、それぞれに記録させる時間帯の記録開始時間および記録終了時間を設定し、記録スケジュール管理手段５３３にて各端末装置４で分担して記録するためのタイムスケジュールを作成させる。具体的には、図６に示すように、記録要求の放送番組であるＸ番組を１８時から２０時まで記録させる場合、ＩＤナンバ０００１の端末装置４では１８時から１９時まで記録させ、ＩＤナンバ０００２の端末装置４では１８時３０分から１９時４０分まで記録させ、ＩＤナンバ０００３では１９時２０分から２０時まで記録させる記録スケジュールを、記録要求の要求情報に関連付けて作成し、記録スケジュールＤＢ５２２に記憶させる。
この後、端末選択手段５３２は、要求情報の記録開始時間および記録終了時間に基づいて記録時間を認識し、記録要求のあった放送番組を記録するための必要な記録領域の大きさを認識する。そして、端末選択手段５３２は、通信手段５１を制御して、絞り込んだ記録スケジュールの端末固有情報を認識し、端末情報ＤＢ５２１Ｂに記憶された端末固有情報に基づいて端末装置４における記録可能領域を確認し、記録要求のあった放送番組を記録可能な端末装置４を選出する。
なお、記録可能な端末装置４がない場合、記録できない旨の信号を携帯端末装置３へ送信させる。この信号の送信に際しては、要求情報の携帯端末固有情報に基づいて、管理情報ＤＢ５２１の携帯情報ＤＢ５２１Ａの携帯端末固有情報から要求先の携帯端末装置３を特定する。そして、あらかじめ設定された記録できない旨の信号を記憶手段５２から読み出し、特定した携帯端末装置３へ通信手段５１を制御して送信させる。
そして、端末選択手段５３２は、選出した端末装置４の端末固有情報であるＩＤナンバを、記録制御手段５３４へ出力する。
【００５８】
記録スケジュール管理手段５３３は、通信手段５１を制御して、端末情報ＤＢ５２１Ｂに記憶する端末固有情報に基づいて、各端末装置４から端末スケジュール情報を取得する。端末スケジュール情報の取得は、上述したように、要求情報認識手段５３１からの記録要求があった旨の信号を認識した場合や、図示しない計時手段にて計時する所定時間毎に実施することなどが例示できる。そして、記録スケジュール管理手段５３３は、上述したように、図５に示すスケジュール情報を適宜生成し、記録スケジュールＤＢ５２２へ出力して記憶させる。
さらに、記録スケジュール管理手段５３３は、放送番組を記録させる端末装置４が設定された場合、その端末装置４に関する記録スケジュールに新たに記録させる記録スケジュールを関連付け、記録スケジュールＤＢ５２２のスケジュール情報を更新する処理をする。
また、記録スケジュール管理手段５３３は、上述したように、端末選択手段５３２から出力される信号に基づいて、タイムスケジュールを作成する。すなわち、記録要求の放送番組を記録する時間帯があらかじめ記録予約された記録スケジュールの時間帯と重なっていない記録スケジュールがない場合、端末選択手段５３２からのタイムスケジュールの作成要求に関する信号を認識し、この信号によりタイムスケジュールを作成する。このタイムスケジュールは、例えば記録スケジュールの記録可能な時間帯を認識し、それぞれの時間帯を組み合わせることで記録要求の記録する一連の時間帯となる状態に組み合わせを検索する。この場合、図６に示すように、一部が重なっていてもよい。そして、組み合わせした際の端末装置４の台数が少なくなるものを選出してタイムスケジュールとする。この作成したタイムスケジュールは、上述したように、記録スケジュールＤＢ５２２に記憶される。
さらに、記録スケジュール管理手段５３３は、端末装置４での記録が終了して記録された放送番組を取得すると、スケジュール情報を更新する処理をする。例えは、取得した放送番組に対応する記録スケジュールと要求情報の携帯端末固有情報とが関連付けられた１つのデータに、記録済みのフラグ情報を付加して記録済みのデータを記録済み一覧表などとして確認できるようにする。
なお、記録スケジュール管理手段５３３は、スケジュール情報に基づいて、端末装置４で記録が終了したか否かを確認する処理をしてもよい。
【００５９】
記録制御手段５３４は、所定の端末装置４で放送番組を記録させる処理をする。すなわち、記録制御手段５３４は、端末選択手段５３２からＩＤナンバを認識すると、端末固有情報に基づいて端末装置４を特定し、端末装置４に記録要求の放送番組を記録させる処理をする。具体的には、記録制御手段５３４は、端末固有情報に基づいて選出した端末装置４へ通信手段５１にてネットワーク２を介して要求情報を送信させる。この要求情報を取得した端末装置４は、要求情報に基づいて端末記録スケジュール管理手段４６５が端末スケジュール情報を更新し、記録要求の放送番組を記録可能な待機状態となる。
なお、タイムスケジュールが作成された記録要求である場合、記録制御手段５３４は、それぞれの端末装置４におけるタイムスケジュールを要求情報に関連付けて送信する。このことにより、端末装置４は、端末記録スケジュール管理手段４６５で、タイムスケジュールに基づいて端末スケジュール情報を更新させる。
【００６０】
放送番組転送処理手段５３５は、端末装置４からの記録指令に対して記録が終了した旨を認識する。そして、放送番組転送処理手段５３５は、ネットワーク２を介して端末装置４で記録された放送番組をサーバ装置５へ転送させる処理をする。
具体的には、端末装置４の端末通信手段４２を制御し、端末放送番組ＤＢ４５２に記憶された放送番組を送信させ、通信手段５１にて受信させる処理をする。そして、放送番組転送処理手段５３５は、通信手段５１で受信した放送番組を放送番組ＤＢ５２３へ出力して適宜記憶させたり、放送番組処理手段５３６へ出力して処理させたりする。
また、放送番組転送処理手段５３５は、端末装置４から放送番組を取得すると、端末装置４に記憶された放送番組を削除させる処理をする。具体的には、放送番組を適切に取得した旨の信号を通信手段５１にて送信させる。この信号を受信した端末装置４は、端末放送番組ＤＢ４５２に記憶されている既に送信した放送番組を削除する処理をする。この他、上述したように、放送番組を送信した端末装置４は、所定時間経過した後に、削除させる処理などをしてもよい。
なお、放送番組転送処理手段５３５は、同一の放送番組を複数の端末装置４で記録させた場合では、いずれか１つの端末装置４から放送番組を取得し、他の端末装置４では削除させる処理をすればよい。また、各端末装置４からそれぞれ取得していずれか１つの放送番組を放送番組ＤＢ５２３や放送番組処理手段５３６へ出力させるなどしてもよい。
【００６１】
放送番組処理手段５３６は、放送番組転送処理手段５３５にて取得した放送番組を、携帯端末装置３や端末発音手段６あるいは端末表示手段７などにて再生可能に処理する。例えば、放送番組をストレージデータに変換し、通信手段５１を介して要求先の携帯端末装置３へ送信してストレージ再生させる。
また、タイムスケジュールに基づいて各端末装置４で所定の時間帯で記録させた場合、タイムスケジュールに基づいて、各端末装置４から取得した一部分の放送番組を適宜つなぎ合わせ、要求のあった１つの放送番組に複合する。この複合処理としては、例えばＭＰＥＧ（Motion Picture Experts Group）方式で取得した放送番組、あるいは取得した後にＭＰＥＧ方式に変換し、ＭＰＥＧ方式のデータ単位となるＧＯＰ（Group Of Pictures）で一連の放送時間となる状態につなぎ合わせる処理が例示できる。なお、この方法に限らす、いずれの方法が利用できる。そして、複合処理後は、それぞれ取得した放送番組を削除するとともに、記録スケジュール管理手段５３３にてそのタイムスケジュールを削除させる処理をする。このことにより、記憶手段５２の記憶領域が確保され、有効活用が容易に図れる。
さらに、放送番組処理手段５３６は、携帯端末装置３から送出要求を認識すると、要求のあった放送番組を通信手段５１にて送出させる処理をする。具体的には、利用者により携帯端末操作手段３１が操作され、携帯端末表示手段３３にて記録済み一覧表を表示させて送出させる記録済みの放送番組を選択する。さらに、携帯端末操作手段３１の操作により、本携帯端末装置３あるいは利用者が保有する端末装置４や再生装置などの送出先が設定され、送出要求情報が生成される。そして、携帯端末操作手段３１の操作により、生成された送出要求情報がサーバ装置５へ送信される。この送信された送出要求情報をサーバ装置５の放送番組処理手段５３６が認識すると、対応する放送番組を送出先へ送出させる。この送出は、ストリームデータとして送出したり、１つのファイルデータとして送出したりするなど、送出要求情報に基づいた送出方式で送出可能である。
【００６２】
次に、前記放送番組記録システム１の動作を図７に示すフローチャートに基づいて説明する。
図７には、放送番組の記録・再生の動作が示されている。
【００６３】
サーバ装置５は、携帯端末装置３からの所定の放送番組の記録を要求する旨の信号の有無を判断、すなわち放送番組の記録要求の待機状態となっている。
この携帯端末装置３からの記録要求としては、例えば、利用者が携帯端末操作手段３１を適宜操作し、携帯端末表示手段３３に表示されるメニュー画面に基づいて記録要求する旨を設定するとともに、記録要求の対象がテレビ番組かラジオ番組かを設定する。この設定により、対象の番組一覧表が携帯端末表示手段３３に表示される。この番組一覧表は、例えばサーバ装置５から適宜取得したり、あらかじめ携帯端末記憶手段３５に記憶されていたりしてもよい。そして、携帯端末操作手段３１の操作により対象の放送番組および記録の開始・終了時間が設定されると、携帯端末装置３の要求情報生成手段３６１がＩＤナンバなどの携帯端末固有情報が一体的に関連付けられた要求情報を生成する（ステップＳ１）。この後、携帯端末操作手段３１の操作にて要求情報がネットワーク２を介してサーバ装置５へ送信されると（ステップＳ２）、サーバ装置５が記録要求を認識する（ステップＳ３）。
【００６４】
そして、サーバ装置５は、要求情報認識手段５３１により携帯端末装置３から送信される要求情報を認識して取得すると、端末選択手段５３２にてスケジュール情報および要求情報に基づいて記録させる端末装置４を選出させる処理をする（ステップＳ４）。すなわち、要求情報およびスケジュール情報に基づいて、前述の具体例に示す方法などにより、記録要求の放送番組を受信可能でかつ記録要求の放送番組を記録可能な端末装置４を選出する。
この後、サーバ装置５は、記録スケジュール管理手段５３３により、記録スケジュールＤＢ５２２に記憶するスケジュール情報を更新する（ステップＳ５）。すなわち、選出した端末装置４に関する記録スケジュールに、記録要求のあった記録スケジュールを関連付け、記録スケジュールＤＢ５２２に記憶させる。
そして、サーバ装置５は、記録制御手段５３４により、端末選択手段５３２で選出した端末装置４に記録指令をする（ステップＳ６）。具体的には、端末選択手段５３２からＩＤナンバを認識した記録制御手段５３４は、端末固有情報に基づいて端末装置４を特定し、この特定した端末装置４へ、通信手段５１にてネットワーク２を介して要求情報を送信する。
【００６５】
サーバ装置５から送信される要求情報を受信した端末装置４は（ステップＳ７）、端末記録スケジュール管理手段４６５により要求情報に基づいて端末スケジュール情報を更新する（ステップＳ８）。この端末スケジュール情報の更新により、端末装置４は記録要求の放送番組を記録可能な待機状態となる。そして、端末装置４は、端末記録スケジュール管理手段４６５により、図示しない計時手段にて計時する時刻と端末スケジュール情報とに基づいて、現在時刻が記録の開始時間となったか否かを判断する（ステップＳ９）。
この判断により、現在時刻が記録の開始時間となると、端末記録スケジュール管理手段４６５は指令情報認識手段４６２に所定の信号を出力する。この信号の出力により、指令情報認識手段４６２は、その記録開始時間の放送番組を放送受信手段４６１にて受信させて記録させる処理をする（ステップＳ１０）。
そして、端末記録スケジュール管理手段４６５は、現在時刻が記録の終了時間を認識すると、指令情報認識手段４６２に所定の信号を出力する。この信号の出力により、指令情報認識手段４６２は、その記録終了時間の放送番組の放送受信手段４６１による受信・記録を終了させる処理をする。この後、端末記録スケジュール管理手段４６５は、端末通信手段４２にて記録が終了した旨をサーバ装置５へ送信させる（ステップＳ１１）。また、記録の不良が生じた場合には、記録不良が生じた旨をサーバ装置５へ送信してもよい。
【００６６】
端末装置４から記録が終了した旨の信号をサーバ装置５が受信すると（ステップＳ１２）、放送番組転送処理手段５３５は、ネットワーク２を介して端末装置４で記録された放送番組をサーバ装置５へ転送させる処理をする。すなわち、放送番組転送処理手段５３５は、記録要求の記録された放送番組の送出を要求する信号を端末装置４へ送出する（ステップＳ１３）。
なお、前述したように、端末装置４から記録終了の信号を受信する他、記録スケジュール管理手段５３３がスケジュール情報に基づいて端末装置４へ記録の終了を確認する処理をしてもよい。
【００６７】
そして、送出要求を認識した端末装置４（ステップＳ１４）は、記録した放送番組を端末放送番組ＤＢ４５２から読み取り、端末通信手段４２にてサーバ装置５へ送信させ（ステップＳ１５）、放送番組転送処理手段５３５にて取得させる（ステップＳ１６）。
この後、端末装置４は、サーバ装置５から放送番組を取得した旨の応答を認識すると、端末放送番組ＤＢ４５２から送出した放送番組を削除し、処理が終了する。
なお、記録不良が生じた場合、中断するまで記録した部分や不良が生じていない部分のみをサーバ装置５へ転送させてもよい。
【００６８】
また、サーバ装置５は、放送番組転送処理手段５３５にて放送番組を取得すると、放送番組処理手段５３６へ出力する。そして、放送番組処理手段５３６は、例えば復号化など適宜処理し（ステップＳ１７）、放送番組ＤＢ５２３へ出力して適宜記憶させる。なお、複数の端末装置４で同一の放送番組を記録させた場合には、いずれかの端末装置４から放送番組を取得したり、全ての端末装置４から取得して、１つのみ記憶させてもよい。また、放送番組処理手段５３６へ出力することなく、直接放送番組ＤＢ５２３へ出力して適宜記憶させてもよい。さらに、タイムスケジュールに基づいて端末装置４で所定の時間帯で記録させた場合、タイムスケジュールに基づいて、各端末装置４から取得した一部分の放送番組を適宜つなぎ合わせ、要求のあった１つの放送番組に複合する処理をする。この後、放送番組を放送番組ＤＢ５２３へ出力して記憶させる。
さらに、サーバ装置５は、放送番組を取得すると、取得した放送番組の要求情報に基づいて要求した携帯端末装置３を認識する。そして、サーバ装置５は、放送番組の記録が終了した旨の信号を携帯端末装置３へ送信し、利用者に報知させる（ステップＳ１８）。なお、この携帯端末装置３への報知をしなくてもよい。
【００６９】
そして、携帯端末装置３で記録が終了した旨の信号を受信すると（ステップＳ１９）、携帯端末演算手段３６はそれまで記録要求した要求情報のうち、記録が終了した要求情報に記録済みである旨のフラグ情報などを付加し、携帯端末記憶手段３５に記憶する。
また、携帯端末装置３は、記録が終了した旨の信号の受信により、携帯端末発音制御手段３６３や携帯端末表示制御手段３６４による制御により携帯端末発音手段３２で発音や携帯端末表示手段３３で表示させる報知処理をする（ステップＳ２０）。この後、携帯端末装置３は、送信要求設定の待機状態となる（ステップＳ２１）。
具体的には、記録終了の報知を認識した利用者が携帯端末操作手段３１の操作にて、例えば携帯端末表示手段３３に表示されるメニュー画面に基づいて送出要求する旨を設定すると、本携帯端末装置３にて記録要求した一覧表あるいは記録済み一覧表が表示される。なお、記録要求した一覧表では、記録済みのフラグ情報が関連付けられた要求情報については、記録終了である旨が表示される。そして、携帯端末操作手段３１の操作にて記録済みの放送番組を選択するとともに、本携帯端末装置３あるいは利用者が保有する端末装置４や再生装置などの送出先が入力されると、携帯端末演算手段３６は送出要求情報を生成する。
【００７０】
そして、携帯端末操作手段３１の操作にて送出要求情報がサーバ装置５へ送信され（ステップＳ２２）、サーバ装置５の放送番組処理手段５３６が認識すると（ステップＳ２３）、放送番組処理手段５３６は送出要求情報に基づいて、放送番組ＤＢ５２３から対象の放送番組を読み取る。この後、放送番組処理手段５３６は、送出要求情報に基づいて、読み取った放送番組を指定の送出先へ送出する（ステップＳ２４）。送出先が複数ある場合には、それぞれ送出可能であるが、利用者の所有する端末装置４や再生装置などの制限付きで送出することが好ましい。このことにより、放送番組の適切な保護ができる。
なお、サーバ装置５は、放送番組を送出後に送出先から取得した旨を認識すると、放送番組ＤＢ５２３に記憶され送出した放送番組を削除してもよい。このことにより、放送番組が記録要求した利用者以外にサーバ装置５から流出することが防止され、放送番組の適切な保護ができる。
【００７１】
そして、放送番組を取得した携帯端末装置３や端末装置４などは（ステップＳ２５）、放送番組を適宜記憶し、入力操作により再生要求を認識すると（ステップＳ２６）、適宜放送番組を再生させる（ステップＳ２７）。例えば、携帯端末発音制御手段３６３や携帯端末表示制御手段３６４、あるいは端末発音制御手段４６３や端末表示制御手段４６４などにて適宜処理し、携帯端末発音手段３２や携帯端末表示手段３３、あるいは端末発音手段６や端末表示手段７にて再生させる。なお、ストリームデータとしてサーバ装置５から放送番組が出力される場合、サーバ装置５から順次受信するデータを処理しつつ再生させる。
【００７２】
前述のような本実施形態によれば、次のような効果が得られる。
すなわち、サーバ装置５の要求情報認識手段５３１にて携帯端末装置３からネットワーク２を介して所定の放送番組の記録を要求する要求情報を認識・取得すると、この要求情報に対応する放送番組を記録可能な端末装置４を端末選択手段５３２にて選出する。そして、サーバ装置５の記録制御手段５３４により、選出した端末装置４で要求情報に対応する放送番組を記録させる処理をする。この後、サーバ装置５の放送番組処理手段５３６により、ネットワーク２を介して端末装置４から記録された放送番組を取得し、携帯端末装置３や利用者の所有する端末装置４に接続された端末発音手段６や端末表示手段７あるいは再生装置などにて放送番組を再生可能に処理する。
このため、記録要求の放送番組を、その放送番組が記録可能な端末装置４で記録させ、記録した放送番組を吸い上げて再生可能に処理することで、サーバ装置５がまとめて各放送局から放送番組を直接記録する場合に比し、例えば各地域に設置された複数の端末装置４で記録が分担され、また各地域に設置された端末装置と送受信可能にネットワーク２を介して接続する簡単な構成で各地域毎の放送番組をサーバ装置５で集約されることとなり、所定の放送番組を記録する構成を容易に簡略化できる。さらに、例えば各地域毎に異なる放送番組でもその地域に設置されて記録可能な端末装置で記録させることで、その地域に利用者がいなくてもその地域の放送番組を取得・鑑賞でき、放送番組の利用を容易に拡大できるとともに、例えば利用者が所望の放送番組が放送されていない地域へ外出しても、その外出先で所望の放送番組を取得でき、利用者の利便性を向上できる。
【００７３】
さらに、サーバ装置５で携帯端末装置３からの記録要求をまとめて取得し、このサーバ装置５にネットワーク２を介して送受信可能に接続され各地域に設置された複数の端末装置４で適宜記録させ、サーバ装置５で記録された放送番組をまとめて吸い上げて適宜配信するシステム構成としている。
このため、構成を簡略化でき、放送番組の利用を容易に拡大でき、利用者の利便性を向上できる所定の放送番組を記録する構成が容易に得られる。
【００７４】
また、記録制御手段５３４により記録要求のあった放送番組を記録可能な複数の端末装置４でそれぞれ放送番組を記録させ、放送番組処理手段５３６により要求情報に基づく放送番組の全てを適切に記録した端末装置４からその放送番組を取得する。
このため、いずれかの端末装置４で例えば受信不良や記録不良などが生じても、他の端末装置４で記録が担保され、確実に記録要求の放送番組を記録できる。
【００７５】
さらに、記録制御手段５３４により記録要求のあった放送番組を記録可能な複数の端末装置４でそれぞれ放送番組を記録させ、放送番組処理手段５３６により、各端末装置４における記録状態を認識して要求情報に基づく放送番組の全てとなる状態に各記録された放送番組を適宜取得してつなぎ合わせる複合処理をする。
このため、例えば不意な記録不良により記録した放送番組が断片的となったり、放送番組の一部分のみ記録可能な端末装置４しかない場合などであっても、それぞれ複合処理により記録要求に応じた放送番組を確実に得ることができる。
【００７６】
そして、記録制御手段５３４により、端末選択手段５３２で選出された端末装置４における各記録可能な時間帯を記録スケジュール管理手段５３３で生成されるスケジュール情報で認識し、要求情報に基づく放送番組の全てとなる状態に記録スケジュール管理手段５３３で生成したタイムスケジュールで記録させる。この後、放送番組処理手段５３６により各端末装置４からそれぞれ記録した所定の時間帯での放送番組を取得し、記録要求に応じた一連の放送番組の全てとなる状態に複合処理する。
このため、放送番組の一部分のみ記録可能な端末装置４しかない場合であっても、例えば各端末装置４における端末記録スケジュールに基づいてタイムスケジュールを作成する簡単な処理で確実に要求情報に対応する放送番組の記録ができる。
【００７７】
さらに、記録スケジュール管理手段５３３で各端末装置４における記録スケジュールに関する記録情報である端末記録スケジュールに基づいて各端末装置４の記録可能な時間帯を認識してタイムスケジュールを作成し、このタイムスケジュールに基づいて記録制御手段５３４により各端末装置４で記録させる。
このため、記録スケジュールの簡単な処理にてタイムスケジュールが作成されて、この記録スケジュールと同様のデータ構造のタイムスケジュールでそれぞれ断片的に記録させて複合処理にて記録要求に対応した放送番組を取得するので、処理が容易で、構成の簡略化や装置コストの低減あるいは処理の高速化などが容易に得られる。
【００７８】
また、端末装置４およびサーバ装置５間で送受信させる放送番組をＭＰＥＧ方式とすることで、各端末装置４で所定の時間帯でそれぞれ記録させて後で複合処理することが容易にでき、処理の高速化が容易に図れる。さらに、送受信時のパケット処理も容易で送受信の高速化も容易に図れることができる。
【００７９】
そして、端末装置４を特定する端末固有情報にその端末装置４で受信可能な放送局に関する放送局情報を一連に関連つけ、サーバ装置５の端末固有情報を記憶する端末情報ＤＢ５２１Ｂを設け、端末固有情報に基づいて端末選択手段５３２が記録要求する放送番組を記録可能な端末装置４を選出する。
このため、要求情報に対応する放送番組を記録可能な端末装置の選出が、放送局情報を有する簡単なデータ構造の端末固有情報で容易にできる。したがって、構成の簡略化や処理の高速化などが容易に得られる。
【００８０】
また、サーバ装置５の端末選択手段５３２にて既に同一の放送番組の記録予約をしている端末装置４以外の端末装置を選出させて、この選出された端末装置４で記録制御手段５３４により放送番組を記録させる。
このため、既に記録予約された放送番組が既に記録予約した利用者以外で再生されることを防止でき、著作保護などの放送番組の適切な保護ができる。
【００８１】
さらに、サーバ装置５の放送番組処理手段５３６は、端末装置４から記録要求の放送番組の記録が完了した旨を認識、例えば端末装置４から記録処理の終了により出力される信号やサーバ装置５からの問い合わせに対する応答信号などに基づいて記録完了を認識すると、端末装置４から記録された放送番組を取得する処理をする。
このため、適切に記録が完了した端末装置４を容易に認識でき、その端末装置４から放送番組を取得すればよく、要求情報に対応した放送番組の適切な記録が容易にできる。
【００８２】
また、放送番組処理手段５３６は、端末装置４から記録された放送番組を取得した後、直ちにあるいは所定時間経過後にその端末装置４の端末記憶手段４５に記憶されている放送番組を削除させる処理をする。
このため、端末装置４における端末記憶手段４５の記録領域が確保され、新たな放送番組の記録が可能となり、利便性を向上できる。さらに、端末装置４から放送番組の複製を防止でき、放送番組の著作保護など適切な保護が得られる。
【００８３】
さらに、サーバ装置５から放送番組を送出させる際、記録要求した携帯端末装置３以外、例えばその記録要求する利用者が所有する他の携帯端末装置３や端末装置４あるいは再生装置などへも送信可能としている。
このため、携帯端末装置３以外でも放送番組を鑑賞することができ、利用者の利便性を向上できる。
【００８４】
また、送出する放送番組の送出方式としてストリームデータとして送出させたり、１つのファイルデータとして送出させたりするなど、送出要求に応じて放送番組を適宜送出している。
このため、ストリーム再生や一旦ファイルとして取得して後に適宜再生させるなど、利用者の都合に合わせたいずれの再生状況に対応でき、利用者の利便性を向上できる。
【００８５】
さらに、サーバ装置５から記録要求のあった放送番組を送出した後は、サーバ装置５からもその放送番組を削除する構成としている。
このため、サーバ装置５から放送番組の複製が流出するなどを防止でき、放送番組を適切に保護できる。
なお、例えばサーバ装置５に所定期間保存しておき、再び記録要求した利用者から携帯端末装置３以外からでも送出要求があった場合に、再び送出する要にしてもよい。このような構成によれば、誤って利用者が放送番組を削除したり、放送番組のデータが損傷したりするなどの不都合が生じても、再び取得することができ、利用者の利便性を向上できる。
【００８６】
そして、記録要求する携帯端末装置３に放送番組を再生可能な携帯端末発音手段３２や携帯端末表示手段３３を設けた構成としている。
このため、記録要求する携帯端末装置３がその要求する放送番組を配信していない地域に携帯されたとしても、サーバ装置５から送出される放送番組を取得して再生させて鑑賞することができ、またその地域にサーバ装置５から送出される放送番組を取得して再生させることができる機器が無くても所望の放送番組の鑑賞ができ、利用者の利便性を向上できる。
【００８７】
また、端末装置４をこの端末装置４に設けられた端末操作手段４１からの信号や携帯端末装置３から赤外線などの無線媒体やケーブル接続などを介して直接取得する信号に基づいて、サーバ装置５から指令と無関係に放送番組の記録を可能としている。
このため、端末装置４が設置された設置場所での端末装置４の番組記録さらには番組再生などができ、端末装置４の有効利用ができる。したがって、例えば端末装置４を家庭機器として設置することにより、日本全国さらには世界各国の放送番組をも記録できるシステム構成が容易に得られ、利用の拡大も容易に図れる。
【００８８】
さらに、端末装置４で独立して放送番組を記録でき、記録予約一覧表や記録済み一覧表などを確認可能な構成とした場合、サーバ装置５からの指令により記録予約する項目については、表示させないなど確認できない構成としている。
このため、端末装置４を利用する利用者がその利用者の意に基づかないサーバ装置５からの指令に基づく記録処理を認識できないので、サーバ装置５からの指令に基づく記録処理による不快感が生じるなどを防止できる。
【００８９】
そして、記録済み一覧や予約一覧などを記録スケジュールを利用して表示可能としている。
このため、利用者に記録状況を簡単な処理で容易に認識させることができ、また送出要求も一覧から選択させる構成ででき、操作性の向上や利便性の向上が容易に得られる。
【００９０】
以上、本発明について好適な実施形態を挙げて説明したが、本発明は、この実施形態に限られるものでなく、本発明の要旨を逸脱しない範囲において種々の改良並びに設計の変更が可能である。
例えば、放送番組としては、上述したように、テレビジョン放送、衛星テレビジョン放送、ラジオ放送などのほか、ケーブルテレビジョン放送などをも対象とできる。
また、地上波アナログ信号や地上波デジタル信号あるいは衛星デジタル信号などの電波により配信される放送番組の他、光や音波、電磁波などのいずれの伝送方式で配信される放送番組を対象とすることができる。
【００９１】
さらに、例えばサーバ装置５の演算手段５３にプログラムとしての種別認識手段を設け、この種別認識手段にて各端末の端末記録スケジュールに基づく記録履歴を取得して各端末装置４で記録頻度の高い放送番組の種別を認識させる。そして、端末選択手段５３２が記録要求の放送番組の種別を認識し、図８に示す概念図のように、要求する種別が種別認識手段にて認識した端末装置４以外の端末装置４、すなわち同一の種別の記録頻度が低い端末装置４を選択させ、記録させる。
このことにより、記録頻度が高い放送番組の種別の端末装置４以外であれば、記録要求する放送番組をその端末装置４で記録する可能性が低くなり、その端末装置４で記録要求の放送番組を記録できる可能性が高くなる。このため、確実に記録要求の放送番組を記録できる。
なお、例えば記録要求の放送番組の種別と同一であって記録履歴に基づく記録頻度がもっと低い種別の端末装置４を選出して記録させるなどしてもよい。
【００９２】
また、記録要求の放送番組が既に記録予約されている端末装置４以外で記録させる構成を例示して説明したが、例えば既に記録予約されている場合、新たに記録させることなく、既に予約されて記録された放送番組を取得し、記録予約がされていない場合には記録させる処理をするなどしてもよい。
このような構成によれば、同一の放送番組を重複して記録する処理が防止され、効率的な放送番組の記録ができる。
【００９３】
そして、サーバ装置５は、例えば放送番組に所定の地域のみ重畳される速報などの付加情報が、放送番組を記録する端末装置４で記録する放送番組に重畳されたことを認識、例えば端末装置４から取得した放送番組の信号により認識した場合、付加情報が重畳されていない他の端末装置４で記録された放送番組を、送出要求に応じて送出するなどしてもよい。
このような構成によれば、放送番組の鑑賞が付加情報により阻害されることがなく、利用者に良好な鑑賞ができる放送番組を提供できる。
【００９４】
また、サーバ装置５は、例えば放送番組中に介在される広告情報などを、端末装置４から取得して処理する際に、削除したり、携帯端末装置３の利用者の居住地の広告情報や携帯端末装置３が位置する地域の広告情報となるように差し替えたりするなどして処理し、送出するようにしてもよい。
このような構成によれば、広告情報により鑑賞が阻害されることなく良好に鑑賞できたり、利用者の居住地の広告情報の差し替えにより利用者に良好に広告内容を報知できたり、携帯端末装置３が位置する地域の広告情報に差し替えることによりその地域にいる利用者にその地域の広告内容を良好に報知できるなど、利用者の利便性や広告効果の向上などが得られる。
【００９５】
そして、サーバ装置５の演算手段５３にて記録要求の放送番組を端末装置４で適宜記録させて取得するプログラム構成として説明したが、プログラム構成としては上述した構成のみに限らず、記録要求の放送番組を端末装置４で適宜記録させて取得するいずれのプログラム構成とすることができる。
なお、プログラム構成に限らず、電気回路にて構成したり、１つの素子にて構成したり、あるいは各構成をそれぞれコンピュータにて構成されて適宜接続したネットワーク構成とするなど、いずれの形態を採ることができる。すなわち、本発明のコンピュータとしては、１台のコンピュータに限らず、ネットワーク構造としたもの、１つの素子としたもの、電気回路にて構築したものなど、いずれが対象となる。
そして、プログラム構成とすることで、例えば構築したプログラムをコンピュータに読み取らせてコンピュータをサーバ装置５や携帯端末装置３あるいは端末装置４として機能させることが用意にでき、利用の拡大、製造性の向上、コストの低減などが容易に図れる。そして、このプログラム構成をコンピュータが読取可能に記録媒体、例えばメモリや光ディスクなどに記録した構成とすることで、上述したようにプログラムをコンピュータに読み取らせることが容易で、プログラム構成が容易に取り扱いでき、容易に利用の拡大が図れる。
【００９６】
さらには、上述した携帯端末装置３、端末装置４およびサーバ装置５の構成に限られるものではなく、各処理機能を適宜分担させる構成とすることができる。
具体的には、上述したように、携帯端末装置３および端末装置４が同一の構成すなわち機能的に同一であれば、例えば携帯端末装置３からの予約要求をサーバ装置５が携帯端末装置３を含めて予約を割り当てる処理をする。また、携帯端末装置３にサーバ装置５の機能を持たせてもよい。すなわち、携帯端末装置３が端末装置４のデータを保持している場合、予約内容に応じて端末装置４を選択して予約指示をする処理をしてサーバ装置５を設けない構成とするなどしてもよい。さらには、これらの予約の割り当てや予約指示を適宜組み合わせてもよい。これらのように、携帯端末装置３、端末装置４およびサーバ装置５の機能を適宜分担させ、いずれの形態のシステム構成に設計変更できる。
【００９７】
また、送出要求に基づいてサーバ装置５から放送番組を適宜配信させて説明したが、配信処理はせず、例えば記録媒体に放送番組を記録させ、この記録媒体を適宜郵送などにより配送するなどしてもよい。さらには、配信せず、サーバ装置５を放送番組のデータベースとして利用してもよい。
そして、送出先としては、記録要求をした機器である携帯端末装置３のみとしたり、利用者が所有する端末装置４のみとしたりするなど、適宜設定できる。
また、送出方式としては、ストリーム再生のみ、あるいはファイル転送のみに限ってもよい。
【００９８】
さらに、複数の端末装置４にて記録させて説明したが、１つの端末装置４のみに記録させてもよい。
そして、タイムスケジュールにて記録させる端末装置４は、複数所定時間帯で重なるように複数の端末装置４で記録させる処理としてもいよ。
さらに、記録可能な時間帯でそれぞれ分割して記録させる処理としては、タイムスケジュールを利用する他、いずれの方法が適用できる。
【００９９】
また、携帯固有情報に放送局情報を関連付けた管理情報としたデータ構造に限らず、記録要求の放送番組を記録可能な端末装置４を検出できるいずれのデータ構造を利用できる。
さらに、記録可能な端末装置４の選出処理としても、いずれの検索方法が利用でき、その検索方法に対応したいずれのデータ構造を利用できる。
【０１００】
そして、携帯端末装置３として、携帯端末発音手段３２や携帯端末表示手段３３を設けて放送番組を再生可能としたが、単に記録要求するのみの構成としてもよい。さらに、携帯端末装置３を端末装置４のリモートコントローラのように端末装置４の独立した記録や再生処理の設定を可能として説明したが、上述したように、サーバ装置５への記録要求のみの構成としてもよい。
また、端末装置４として、サーバ装置５とは別に独立して記録可能な構成としたが、サーバ装置５からの指令に基づいて記録するのみの構成としてもよい。そして、例えば利用者が外出する前などに端末装置４の端末操作手段の操作により、端末装置４から記録を供給する要求情報を送信させるなど、端末装置４を携帯端末装置３のように利用することも可能である。
さらに、サーバ装置５および端末装置４や携帯端末装置３間での放送番組の送受信方式も、上述したように、ＭＰＥＧを利用する構成に限らない。
【０１０１】
また、一覧表示を可能して説明したが、一覧表示させなくてもよい。
さらに、記録要求や送出要求する際の操作方法は、上述した例示に限らず、いずれの方法が適用できる。
【産業上の利用可能性】
【０１０２】
本発明は、テレビジョン放送、衛星テレビジョン放送、ラジオ放送、ケーブルテレビジョン放送などの各種放送番組を、携帯端末装置３からの記録要求に基づいて、ネットワーク２を介して複数接続され各地域に設置された端末装置４で適宜記録させてサーバ装置５で取得して再生可能に処理し、適宜送出させて鑑賞する利用の他、例えば放送番組のデータベースなどとしても適用できる。
【図面の簡単な説明】
【０１０３】
【図１】本発明の一実施形態に係る放送番組記録システムの概略構成を示す概念図。
【図２】前述の放送番組記録システムにおける携帯端末装置の概略構成を示すブロック図。
【図３】前述の放送番組記録システムにおける端末装置の概略構成を示すブロック図。
【図４】前述の放送番組記録システムにおけるサーバ装置の概略構成を示すブロック図。
【図５】前述のサーバ装置の記録スケジュールＤＢにおけるテーブル構造の概略構成を示す概念図。
【図６】前述のサーバ装置の記録スケジュール管理手段におけるタイムスケジュールの作成状況を示す概念図。
【図７】前述の放送番組記録システムにおける放送番組の記録を実行する動作を示すフローチャート。
【図８】本発明の他の実施形態に係る放送番組記録システムにおける記録指令の制御状況を示す概念図。
【符号の説明】
【０１０４】
１…放送番組記録システム
２…ネットワーク
３…携帯端末装置（第２の端末操作手段としても機能する第１の端末装置）
４…端末装置（第２の端末装置）
５…サーバ装置（放送番組記録装置）
６…端末発音手段（出力手段）
７…端末表示手段（出力手段）
３１…携帯端末操作手段（第１の端末操作手段）
３２…携帯端末発音手段（出力手段）
３３…携帯端末表示手段（出力手段）
４５…端末記憶手段（端末記録手段）
５２…記憶手段（記録手段）
３６１…要求情報生成手段
４６１…放送受信手段
５３１…要求情報認識手段（要求情報取得手段）
５３２…端末選択手段
５３４…記録制御手段
５３６…放送番組処理手段
【図１】
2005209313.tif 000003
【図２】
2005209313.tif 000004
【図３】
2005209313.tif 000005
【図４】
2005209313.tif 000006
【図５】
2005209313.tif 000007
【図６】
2005209313.tif 000008
【図７】
2005209313.tif 000009
【図８】
2005209313.tif 000010